(57)【特許請求の範囲】
【請求項１】
電源投入後、最初にテープ記録媒体に記録した画像情報のサムネイル画像と、前記画像情報を記録する度に前記テープ記録媒体に記録される当該テープ記録媒体の識別コードと、前記最初に記録した画像情報に係る前記テープ記録媒体上の記録位置情報とを相互に関連させて記憶するメモリー手段と、
記録済みの前記テープ記録媒体が装着されると、このテープ記録媒体から読み出した前記識別コードに関連する前記サムネイル画像を前記メモリー手段から読み出して表示画面に表示し、表示したサムネイル画像の選択に応じて所望の前記最初に記録された画像情報の記録位置からの頭出し再生を行なう頭出し再生手段とを備えた記録再生装置において、
前記頭出し再生手段は、
複数の相異なる識別コードが記録されたテープ記録媒体が装着された場合に、この複数の相異なる識別コードに関連したサムネイル画像の全てを表示するよう構成されたことを特徴とする記録再生装置。
【請求項２】
電源投入後、最初に前記テープ記録媒体に画像情報を記録するに際して、記録開始位置近傍に既に記録されてある識別コードが読み取り実行できた場合には読み取った識別コードを継続して記録し、読み取り実行できなかった場合には新たな識別コードを記録する識別コード記録手段を更に備えたことを特徴とする請求項１に記載の記録再生装置。
【発明の詳細な説明】
【０００１】
【発明の属する技術分野】
本発明は、映像信号や音声信号の記録及び再生を行なうビデオカメラのような記録再生装置に係り、特にテープ記録媒体に記録済みの各撮影シーンを指し示すサムネイル画像のようなインデックス用情報を用いて簡潔かつ確実に所望の撮影シーンの頭出し再生操作が可能なビデオカメラとして最適な記録再生装置を提供しようとするものである。
【０００２】
【従来の技術】
【発明が解決しようとする課題】
磁気テープを用いて情報を記録再生する磁気記録再生装置においては、記録した情報（番組）の検索を容易にするための種々の提案がなされている。
一例として、特開平７−５７４４０号公報には、着脱自在のＩＣメモリカードを用いてテープカセットの検索情報を記録することが記載されている。カメラによって映像を撮影して磁気テープに記録し再生するビデオカメラにおいても、この種の検索方法を採用することにより、磁気テープに記録した映像の検索を容易に行うことが可能となる。
【０００３】
ビデオカメラにおいて、着脱自在のＩＣメモリカードに、磁気テープに記録した映像の検索情報を記録するよう構成した場合、メモリカードを交換した場合に、メモリカードと磁気テープとをどのように対応付けるかが問題となる。
【０００４】
本発明は、上記の状況に鑑みてなされたものであり、特に、電源投入後、最初にテープ記録媒体に記録した画像情報のサムネイル画像と、画像情報を記録する度にテープ記録媒体に記録される当該テープ記録媒体の識別コードと、最初に記録した画像情報に係るテープ記録媒体上の記録位置情報とを相互に関連させて記憶するメモリー手段と、記録済みのテープ記録媒体が装着されると、このテープ記録媒体から読み出した識別コードに関連するサムネイル画像をメモリー手段から読み出して表示画面に表示し、表示したサムネイル画像の選択に応じて所望の最初に記録された画像情報の記録位置からの頭出し再生を行なう頭出し再生手段とを備えた記録再生装置において、頭出し再生手段は、複数の相異なる識別コードが記録されたテープ記録媒体が装着された場合に、この複数の相異なる識別コードに関連したサムネイル画像の全てを表示するよう構成されたことを特徴とする記録再生装置とすることにより、快適且つ確実な操作で所望のシーンの頭出し再生が実行可能な記録再生装置を提供することを目的とする。
【０００５】
【課題を解決するための手段】
上記の課題を解決するために、本発明は、下記する（１）、（２）の各構成を有する記録再生装置を提供する。
（１）  電源投入後、最初にテープ記録媒体１１に記録した画像情報のサムネイル画像（図３、図4におけるＴＮ）と、前記画像情報を記録する度に前記テープ記録媒体に記録される当該テープ記録媒体の識別コード（テープＩＤ）と、前記最初に記録した画像情報に係る前記テープ記録媒体上の記録位置情報（タイムコード）とを相互に関連させて記憶するメモリー手段（メモリカード）１６と、
記録済みの前記テープ記録媒体１１が装着されると、このテープ記録媒体から読み出した前記識別コードに関連する前記サムネイル画像を前記メモリー手段１６から読み出して表示画面に表示し（表示例図5、図6（Ａ））、表示したサムネイル画像の選択に応じて所望の前記最初に記録された画像情報の記録位置からの頭出し再生を行なう頭出し再生手段（デッキ制御マイコン８、中央処理マイコン５、静止画記録再生制御マイコン）１４とを備えた記録再生装置（ビデオカメラ、ＶＴＲ）において、
前記頭出し再生手段５、８、１４は、
複数の相異なる識別コードが記録されたテープ記録媒体１１が装着された場合に、この複数の相異なる識別コードに関連したサムネイル画像の全てを表示するよう構成されたことを特徴とする記録再生装置。
（２）  電源投入後、最初に前記テープ記録媒体１１に画像情報を記録するに際して、記録開始位置近傍に既に記録されてある識別コードが読み取り実行できた場合には読み取った識別コードを継続して記録し、読み取り実行できなかった場合には新たな識別コードを記録する識別コード記録手段５、８、１４を更に備えたことを特徴とする請求項１に記載の記録再生装置。
【０００６】
【発明の実施の形態】
以下、本発明の実施の形態に係る好ましい実施例であるビデオカメラについて、添付図面を参照して説明する。
図１は本発明の実施形態に係る一実施例であるビデオカメラを示すブロック図、図２は図１のビデオカメラの部分ブロック図、図３は図１のビデオカメラの動作を説明するための図、図４は図１のビデオカメラの動作を説明するための図、図５は図１のビデオカメラの動作を説明するための図、図６は図１のビデオカメラの動作を従来技術構成と対比させて説明するための図である。
【０００７】
ところで、以下に説明を行う本実施例のビデオカメラに先立ち、本出願人は、磁気テープに記録された各映像シーンの頭出し検索用情報を記憶したメモリーカードを有し、更にこのメモリカードを交換した場合でも、メモリカードと磁気テープの検索情報とを対応させることができ、磁気テープに記録した映像をすばやく検索することができるビデオカメラを発明し、既に特許出願を行なっている。尚、この出願は現時点で公開がなされていないものである。
【０００８】
上記の出願済みのビデオカメラ（以下では、便宜上「先行技術に係るビデオカメラ」とも呼ぶ）の概要を以下に説明する。
【０００９】
上記の先行技術に係るビデオカメラは、
少なくとも映像信号を含んだ一連の信号を、テープ記録媒体上の記録位置を表わす連続信号である位置信号と、当該テープ記録媒体に固有な符号であるテープＩＤとともに連続的にテープ記録媒体に記録し、かつ再生を行なう記録再生手段（構成Ａ）と、
前記一連の信号として１又は複数の部分の信号が連接して記録されている１又は複数の前記テープ記録媒体それぞれについて、前記部分の信号毎に、この部分の信号を指し示すインデックス用情報、及びこの部分の信号の先頭記録位置を表わす位置信号を、当該テープ記録媒体のテープＩＤに対応させて記録保持する記録保持手段（構成Ｂ）と、
再生を行なうために前記テープ記録媒体が装置に装着されると、このテープ記録媒体から前記記録再生手段が再生したテープＩＤに対応する前記インデックス用情報を全て前記記録保持手段から読み出して所定の表示手段の表示画面上に表示し、表示されたインデックス用情報の中から所定の選択操作により特定のインデックス用情報が選択されると、このインデックス用情報が指し示す部分の信号の位置情報が表わす記録位置から当該テープ記録媒体の再生を開始するよう前記記録再生手段を制御する制御手段（構成Ｃ）とを備えることにより、インデックス用情報の選択操作により所望の部分の信号の頭出し再生を行なう信号記録再生装置として構成されている。
なお、上記の構成Ａ〜構成Ｃは説明の便宜上付したものである。
【００１０】
（先行技術に係るビデオカメラの記録再生手段−構成Ａ）
このビデオカメラの主な機能は、磁気テープを巻回してカセット内に収納した公知のビデオカセットテープに対して、映像信号及び音声信号を記録し、かつこのビデオカセットテープに記録された各信号の再生を行なうものである。
【００１１】
ここでビデオカメラは、磁気テープに設けられた通常のトラック上に映像信号及び音声信号を記録するとともに、上記の通常のトラックに付随して並行に設けられたサブコードエリア上に、始端から終端まで磁気テープの記録位置を連続的に表す信号であるタイムコードと、このビデオカセットテープに固有な符号である識別用のテープＩＤとを継続的に記録する。
【００１２】
ビデオカメラを用いて記録（撮影画像の録画）を行なう際には、このビデオカメラに設けられた記録再生手段は、順次巻き取りが行なわれる磁気テープの記録位置において、映像信号及び音声信号を通常のトラック上に順次記録し、同時に、上記のタイムコードとテープＩＤとをサブコードエリアに連続的に記録していく。
テープＩＤの記録動作については後記する。
【００１３】
ビデオカメラを用いて通常の再生（磁気テープに記録された画像の再生動作）を行なう際には、あらかじめ画像が記録されている磁気テープを順次巻き取りを行なって、再生位置における通常のトラックから上記の記録再生手段が映像信号及び音声信号を連続的に再生し、同時に、サブコードエリアからタイムコードと、テープＩＤとを連続的に再生するものである。
【００１４】
（先行技術に係るビデオカメラの記録保持手段−構成Ｂ）
ところで、このビデオカメラは、ビデオカセットに録画してある各撮影シーンの中で、再生させようとする所望のシーンを迅速に検索して再生実行するための従来には無い構成として、半導体メモリであるメモリカードと、このメモリカードに対して情報の記録と読み出しとを行なう記録読み出し部とからなる記録保持手段とを備えている。
上記のメモリカードは周知のディレクトリ構造に基づくデータファイル管理機能を有し、1又は複数の各ビデオカセットのテープＩＤに対応する各ファイルフォルダがメモリカード中に作成可能であり、ひとつのファイルフォルダの内部には、このテープＩＤに対応するビデオカセット中に記録された各シーンのサムネイル画像（インデックス用の小画像）とタイムコードとが記録保持されている。
【００１５】
上記の記録再生手段と連携して行なう動作を含め、撮影画像をビデオカセットに記録する際にこの記録保持手段が実行する動作を以下に説明する。
【００１６】
まず記録を行なおうとするビデオカセットがビデオカメラに装着されると、上記の記録再生手段は装着されたビデオカセットを所定量だけ僅かに巻戻して、巻戻した位置に上記のテープＩＤが記録されているか否かを調べる。
【００１７】
（Ｂ−１  ビデオカセットのテープＩＤに対応するファイルフォルダがメモリカード中に存在する場合）
調べた結果、記録を行なおうとするビデオカセットにテープＩＤが記録されている場合には、次に、このテープＩＤに係る各情報が、上記したメモリカードに記録されているか否かを調べる。
具体的にはこのテープＩＤと同一の名称のファイルフォルダがメモリカード中に作成されているか、あるいは対称用テーブルデータ等によってこのテープＩＤに対応付けられた名称のファイルフォルダがメモリカード中に作成されている場合には、このテープＩＤに対応する各情報がメモリカードに記録されているか否かを調べる。
【００１８】
その結果、メモリカードに記録されている場合には、装着されているビデオカセットは過去の時点で記録が行なわれたことがあり、かつ過去の時点の記録における各情報が、このビデオカメラが有するメモリカードに記録されているものと判断する。
そこで、今回新たに撮影して記録を行なうにあたっては、撮影シーンの冒頭の画像を頭出し検索用の小画像であるサムネイル画像情報として生成し、またこの撮影シーンの冒頭の記録位置におけるタイムコードを、上記のサムネイル画像情報とともに、上記のメモリカード内の当該ビデオカセットのテープＩＤに対応する名称のファイルフォルダ内に記録保持する。
【００１９】
（Ｂ−２  ビデオカセットに記録されたテープＩＤに対応するファイルフォルダが、メモリカード中に存在しない場合）
一方、調べた結果、ビデオカセットにはテープＩＤが記録されているものの、ビデオカメラのメモリカードにはこのテープＩＤに対応するファイルフォルダが存在しない場合には、このビデオカセットは過去において記録がなされたものの、その記録に関する各情報はこのビデオカメラが有するメモリカードには記録保持されていないものと判断する。
そこで、今回新たに撮影して記録を行なうにあたっては、撮影シーンの冒頭の画像を頭出し検索用の小画像であるサムネイル画像情報として生成する点は上記と同じだが、当該ビデオカセットに対応するテープＩＤのファイルフォルダを新たにメモリカードに作成し、この撮影シーンの冒頭のタイムコードを上記のサムネイル画像情報とともに上記の新たに作成したファイルフォルダ内に記録保持する。
【００２０】
ここで、新たに作成されるファイルフォルダの名称は、当該ビデオカセットに記録されてあるテープＩＤと同じとするか、あるいはこのテープＩＤとは異なるものの、現在このメモリカード内に作成されている各ファイルフォルダの名称とは異なる新たな名称とすることが出来る。
ビデオカセットのテープＩＤと、メモリカード内に新たに作成されるファイルフォルダとの名称とが異なる場合には、対称用のテーブルデータをメモリカード内あるいは他の箇所に設けて、当該ビデオカセットに間する情報が、このファイルフォルダ内に収納されていることがテーブルデータを参照することによってわかるように構成してもよい。
【００２１】
（Ｂ−３  ビデオカセットの記録開始位置近傍にテープＩＤが記録されていない場合）
あるいはまた、調べた結果、これから記録しようとするビデオカセットにテープＩＤが記録されていない場合には、メモリカード内に現在存在するファイルフォルダを調べて、それらと異なる新たな名称を有するファイルフォルダをメモリカード内に作成して、今回ビデオカセットに記録される各シーンの冒頭の画像に基づく各サムネイル画像情報と、冒頭の各タイムコードとを、上記の新たなファイルフォルダ内に記録保持する。
そして以後、このビデオカセットに撮影画像を記録していく際には、上記の新たな名称に基づくテープＩＤ、あるいは対称用テーブルによって上記の新たな名称に対応付けられたテープＩＤが、連続的に磁気テープに記録されていくこととなる。
【００２２】
（先行技術に係るビデオカメラの制御手段−構成Ｃ）
次に、このビデオカメラを用いて、既に撮影画像が記録されているビデオカセットから所望のシーンを頭出し再生する際の動作を説明する。
【００２３】
ここで、再生を行なおうとするビデオカセットには、予め複数のシーンが連続して記録されており、また各シーンの冒頭の画像に基づくサムネイル画像情報と、冒頭のタイムコードとが、ビデオカメラが有するメモリカード内の、このビデオカセットのテープＩＤに対応する名称を有するファイルフォルダ内に記録保持されているものとする。
【００２４】
（Ｃ−１  選択可能なシーンを指し示すサムネイル画像を全て、ひとつの表示画面に表示する動作）
再生を行なうためにビデオカセットがビデオカメラに装着されると、上記した記録再生手段は僅かに磁気テープを巻戻して、磁気テープに記録されているテープＩＤを再生出力する。
次に、再生出力したテープＩＤに対応するファイルフォルダがメモリカード中に存在するか否かを、上記した記録保持手段は調べる。存在する場合には、このファイルフォルダ内に収納されている全てのサムネイル画像情報に基づく画像を所定の表示手段の表示画面上に表示すべく、ビデオカメラに設けられた制御手段が制御を行なう。
【００２５】
上記の所定の表示手段とは、例えばこのビデオカメラにビデオ信号ケーブルを介して接続するモニターであり、あるいはビデオカメラに一体に設けられたビューファインダ、ビデオカメラに一体に設けられた液晶パネル表示部などでもよい。
いずれにせよ制御手段は、該当するサムネイル画像を全て、この表示手段が有する表示画面上に表示すべく映像信号を生成して表示手段に出力する。
【００２６】
（Ｃ−２  表示されたサムネイル画像の内、所望のシーンのものを選択して頭出し再生を実行する動作）
該当するサムネイル画像が全て、表示画面上に表示されると、ビデオカメラの操作者はビデオカメラに付属するカーソルコントロールキーなどの操作手段を操作して、再生させたいシーンを指し示しているサムネイル画像を選択する。
上記の操作手段はその他にも、液晶パネルの表示画面上に設けたタッチパネル手段などで実現しても良い。
【００２７】
サムネイル画像が選択されると、制御手段は、選択されたサムネイル画像が指し示すシーンのタイムコードをメモリカードから読み出して、このタイムコードが表している磁気テープ上の位置から再生開始出来るように、磁気テープの早送り又は巻戻し制御を実行する。
そして磁気テープ上の現在位置が上記の再生開始位置に達すると、記録されてある映像信号及び音声信号の再生を開始するように記録再生手段を制御するので、ビデオカメラの操作者が選択したサムネイル画像が指し示す所望のシーンの頭出し再生が、上記の如くの簡潔な操作で実行される。
【００２８】
しかしながら上記に説明した先行技術に係るビデオカメラにおいては、ひとつのビデオカセットに記録されているシーンのサムネイル画像を、通常の操作では表示画面上に全て表示することが出来ず、この結果、このひとつのビデオカセットに記録されているものの頭出し再生を行なうよう選択することが出来ないシーンが存在するので適切な頭出し再生操作を実行できない、という問題を有していた。
このことを以下に説明する。
【００２９】
（ひとつのビデオカセットに対する複数のテープＩＤの付与）
このビデオカメラを用いてビデオカセットに記録を行なう際には、ビデオカセットが装着された位置より僅かに磁気テープを巻戻して、テープＩＤが記録されているか否かを調べて、記録されていない場合には未記録状態（ヴァージン）のビデオカセットと判断して新たなテープＩＤをこのビデオカセット、及びメモリカード内のファイルフォルダに付与する構成であることは、先に説明した通りである。
斯かる構成とすることよりヴァージン状態のビデオカセットには新たなテープＩＤが付与される一方、記録が過去に行なわれたビデオカセットには新たなテープＩＤが付与されること無く、過去に付与されたテープＩＤをそのまま使い続けることが意図されていた。
【００３０】
すなわち、ひとつのビデオカセットについて、複数のテープＩＤが付与されてしまい、磁気テープの記録位置によって異なるテープＩＤが記録されていることは通常は有り得ないように構成がなされていた。
【００３１】
ところが、例えば過去に記録を行なったビデオカセットでは有るものの、ビデオカメラに装着した時点の記録位置及びその近傍にはたまたま記録がなされていなかったり、あるいは磁気テープのサブコードエリアからテープＩＤを再生する際に何らかの不具合が発生して正しくテープＩＤが再生出力されなかった場合などにはテープＩＤが再生出力されないので、制御手段はこのビデオカセットをヴァージン状態と誤って判断してしまい、新たなテープＩＤを付与してしまう可能性がある。
【００３２】
そうするとこのビデオカセットには、過去に記録がなされた際に付与されたテープＩＤと、今回誤って新たに付与されたテープＩＤとの２つのテープＩＤが、磁気テープ上の異なる位置にそれぞれ記録されており、この２つのテープＩＤは互いに異なることがほぼ確実である。
【００３３】
（異なる複数のテープＩＤが記録されたビデオカセットを用いた頭出し再生動作の実行）
そして、このような複数の異なるテープＩＤが記録されたビデオカセットを、再生を行なうためにビデオカメラに装着すると、装着時点での再生位置近傍に記録されたテープＩＤのみが記録再生手段によって再生出力され、これを見た制御手段は、この再生出録されたテープＩＤに対応するサムネイル画像のみをメモリカードから読み出して、表示画面上に表示する。
【００３４】
従ってビデオカメラの操作者は、この表示画面を見て、この再生を行なおうとするビデオカセットには表示画面に表示された限られたサムネイル画像が示す限られたシーンのみが記録されているものと誤解をして、もう一方のテープＩＤとともに過去に記録されてあり、本来サムネイル画像を用いた頭出し再生の実行が可能であるはずのシーンの存在に気付くことなく、当然これらのシーンの頭出し再生が実行できない。
【００３５】
あるいはまた、このビデオカメラの操作者は、現在表示画面上に表示されているサムネイル画像が指し示すシーンの他にもこのビデオカセットにはシーンが撮影されていることを知っているものの、従来の方法ではこの表示されていないシーンを表示させることが出来ない。
現在表示されていないシーンの頭出し再生を行なうためには、例えばビデオカセットを巻戻したり早送りしたりして表示させたいシーンが記録されている位置を再生可能にした上で、一度ビデオカセットをビデオカメラから取り出した後に再度装着して、前回と異なるテープＩＤに応じたサムネイル画像を表示させる他無く、極めて不便で不快な操作感を操作者に強いるものとなってしまう。
【００３６】
本実施例のビデオカメラは、上記に説明した先行技術に係るビデオカメラを前提とし、これに必要な改良、変更を加えて構成したものであって、本実施例のビデオカメラもまた、
少なくとも映像信号を含んだ一連の信号を、テープ記録媒体上の記録位置を表わす連続信号である位置信号と、当該テープ記録媒体に固有な符号であるテープＩＤとともに連続的にテープ記録媒体に記録し、かつ再生を行なう記録再生手段（構成Ａ）と、
前記一連の信号として１又は複数の部分の信号が連接して記録されている１又は複数の前記テープ記録媒体それぞれについて、前記部分の信号毎に、この部分の信号を指し示すインデックス用情報、及びこの部分の信号の先頭記録位置を表わす位置信号を、当該テープ記録媒体のテープＩＤに対応させて記録保持する記録保持手段（構成Ｂ）と、
再生を行なうために前記テープ記録媒体が装置に装着されると、このテープ記録媒体から前記記録再生手段が再生したテープＩＤに対応する前記インデックス用情報を全て前記記録保持手段から読み出して所定の表示手段の表示画面上に表示し、表示されたインデックス用情報の中から所定の選択操作により特定のインデックス用情報が選択されると、このインデックス用情報が指し示す部分の信号の位置情報が表わす記録位置から当該テープ記録媒体の再生を開始するよう前記記録再生手段を制御する制御手段（構成Ｃ）とを備えることにより、インデックス用情報の選択操作により所望の部分の信号の頭出し再生を行なう信号記録再生装置として構成されている点は、上記の先行技術に係るビデオカメラと同様である。
【００３７】
従って本実施例のビデオカメラはまた、上記の記録再生手段（構成Ａ）、記録保持手段（構成Ｂ）、及び制御手段（構成Ｃ）を備えており、これらの各構成が実行する動作、作用もまた共通するものである。
しかし、徒に記述を繰り返すことを避けて説明を明瞭簡潔とするために、以下の本実施例のビデオカメラの説明ではポイントを変えて、主にビデオカメラの具体的な構成に即して説明を行っていくこととする。
【００３８】
＜動画記録再生動作＞
まず、図１を用いて、カメラにて撮影した動画像を磁気テープに記録したり、磁気テープに記録した動画像を再生する記録再生動作について説明する。
なお、図１において、白抜き矢印は映像信号の流れを示しており、実線の矢印は制御信号の流れを示している。図１では、音声信号の流れについては図示を省略している。
【００３９】
図１において、レンズ１から入来した被写体像は、電荷結合素子（ＣＣＤ）２に結像する。ＣＣＤ２より出力された撮影画像はＡ／Ｄ変換器３によってデジタル信号に変換され、画像処理ＤＳＰ４に入力される。ＤＳＰは、デジタルシグナルプロセッサの略称である。レンズ１〜Ａ／Ｄ変換器３は、カメラ部ＣＭを構成している。
【００４０】
操作部６によって動画記録（録画）の指示がなされると、その指示信号は中央処理マイコン５に入力される。中央処理マイコン５は、ビデオカメラ全体を制御する制御部である。
中央処理マイコン５は、画像処理ＤＳＰ４及びデッキ制御マイコン８に動画記録の指示がなされたことを示す制御信号を供給する。デッキ制御マイコン８は、磁気テープ１１への情報の記録再生を行うデッキ部ＤＫを制御する制御部である。
【００４１】
画像処理ＤＳＰ４は、Ａ／Ｄ変換器３より入力されたデジタル信号を、輝度（Ｙ）信号及び色差（Ｒ−Ｙ，Ｂ−Ｙ）信号に変換すると共に、ＡＧＣ（自動ゲイン制御），ガンマ補正，セットアップ等の各種の信号処理を施して、ＤＶ信号処理ＤＳＰ７に入力する。本実施例では、ＤＶ規格に基づいたビデオカメラを例にしているが、これに限定されるものではない。
ＤＶ信号処理ＤＳＰ７は、入力された信号に圧縮処理やシャフリング処理等を施すと共に、トラッキング情報，サブコードエリアの情報，オーディオ記録形式の情報，タイムコード，日時情報等の各種の制御データを加え、ＤＶフォーマット信号としてプレレコーディングアンプ９に入力する。
【００４２】
プレレコーディングアンプ９は、入力された信号をＮＲＺＩ変調して複数個のヘッド１０に供給する。ヘッド１０は、図示していない回転ドラムに搭載されたものであり、ここでは簡略化のため、ヘッド１０を１つしか図示していない。ヘッド１０に供給された信号は、回転ドラムに巻き付けられた磁気テープ１１上に、トラック１１ａとして順次記録される。ＤＶ信号処理ＤＳＰ７〜ヘッド１０は、デッキ部ＤＫを構成している。
【００４３】
一方、操作部６によって、磁気テープ１１に記録された情報の再生の指示がなされると、ヘッド１０からの信号はプレレコーディングアンプ９で増幅されてＤＶ信号処理ＤＳＰ７に入力される。ＤＶ信号処理ＤＳＰ７は、入力された信号に伸長処理やデシャフリング処理等を施して画像処理ＤＳＰ４に供給すると共に、上記の各種の制御データをデッキ制御マイコン８に供給する。画像処理ＤＳＰ４は、Ｙ信号及びＲ−Ｙ，Ｂ−Ｙ信号をＹ信号と色（Ｃ）信号のコンポーネント信号あるいはコンポジット信号に変換して、Ｄ／Ａ変換器１７に入力する。
【００４４】
Ｄ／Ａ変換器１７は、入力信号をアナログ信号に変換し、ＡＶ出力部１８は、映像信号及び音声信号を出力する。デッキ制御マイコン８に入力された制御データは、中央処理マイコン５に入力される。制御データの内、タイムコードや日時情報等は表示情報として画像処理ＤＳＰ４に入力され、映像信号に重畳される。
【００４５】
＜静止画記録再生動作＞
本実施例のビデオカメラにおいては、操作部６によって動画記録の指示がなされた際、撮影した初期画像（記録開始時の映像）を静止画としてメモリカード１６に記録するようにしている。
前述のように、操作部６より動画記録の指示信号が中央処理マイコン５に入力されると、中央処理マイコン５は、静止画記録再生制御マイコン１４に静止画記録を行うよう制御信号を供給する。静止画記録再生制御マイコン１４は、メモリカード１６への静止画の記録再生を行う静止画記録再生部ＳＣを制御する制御部である。
【００４６】
画像処理ＤＳＰ４で生成したＹ信号及びＲ−Ｙ，Ｂ−Ｙ信号は、静止画ＤＳＰ１２に入力される。静止画ＤＳＰ１２に入力された映像信号は一旦ＳＤＲＡＭ１３に蓄えられ、静止画ＤＳＰ１２は、ＳＤＲＡＭ１３からの映像信号にＪＰＥＧ圧縮処理を施し、Ｒ，Ｇ，Ｂ信号として静止画記録再生制御マイコン１４に供給する。静止画記録再生制御マイコン１４は、インタフェース（Ｉ／Ｆ）部１５を介して、メモリカード１６にＪＰＥＧの静止画ファイルを書き込む。静止画ＤＳＰ１２〜Ｉ／Ｆ部１５は、静止画記録再生部ＳＣを構成している。
【００４７】
一方、操作部６によって、メモリカード１６に記録された静止画の再生の指示がなされると、静止画ファイルは、Ｉ／Ｆ部１５及び静止画記録再生制御マイコン１４を介して静止画ＤＳＰ１２に入力される。
静止画ＤＳＰ１２に入力された静止画は一旦ＳＤＲＡＭ１３に蓄えられ、静止画ＤＳＰ１２は、ＳＤＲＡＭ１３からの静止画にＪＰＥＧ伸長処理を施し、画像処理ＤＳＰ４に入力する。画像処理ＤＳＰ４は、静止画のＹ，Ｃ信号をＤ／Ａ変換器１７に入力する。Ｄ／Ａ変換器１７は、入力信号をアナログ信号に変換し、ＡＶ出力部１８は、静止画の映像信号を出力する。
【００４８】
静止画の画像サイズや日時情報等の各種の制御データは、静止画ＤＳＰ１２から静止画記録再生制御マイコン１４へと戻される。静止画記録再生制御マイコン１４に入力された制御データは、中央処理マイコン５に入力される。制御データの内、日時情報等は表示情報として画像処理ＤＳＰ４に入力され、映像信号に重畳される。以上の静止画は、後に詳述するように、メモリカード１６に記録した静止画を磁気テープ１１に記録した映像を検索するためのサムネイル画像として用いる場合に再生される。
【００４９】
尚、所望の映像シーンの頭出し検索を行なうための情報として、上記のサムネイル画像以外の情報も用いても良く、例えば撮影日時を記録した文字情報、撮影時に撮影者が入力記録したメモ書き用の文字情報、などでもよい。本実施例の説明では、これら各種の検索用情報の一例としてサムネイル画像を用いるものである。
【００５０】
ところで、近年、ビデオカメラにおいては、メモリカードを搭載し、そのメモリカードに静止画（もしくは圧縮した動画）を記録してデジタルスチルカメラとして用いることが一般的となっている。本実施例では、磁気テープ１１に記録した映像を検索するためのサムネイル画像としての静止画を記録するメモリカード１６を、検索用サムネイル画像を記録するため専用として用いている。
通常の静止画を記録するメモリカードも搭載する場合には、メモリカードの挿入口を２つ設け、図２に示すように、メモリカード１６を検索用サムネイル画像の記録専用として用い、メモリカード１６′を通常の静止画記録用として用いる。
【００５１】
静止画記録再生制御マイコン１４は、上記のように、撮影した動画の初期画像を静止画としてＩ／Ｆ部１５を介してメモリカード１６に記録する。ビデオカメラをデジタルスチルカメラとして用いるため、通常の静止画を記録する場合には、通常の静止画を、Ｉ／Ｆ部１５′を介してメモリカード１６′に記録する。
【００５２】
＜磁気テープ検索情報記録動作＞
本実施例のビデオカメラにおいては、テープカセット毎にテープＩＤとテープ番号を割り付け、メモリカード１６にテープＩＤ毎にフォルダを作成し、上述したサムネイル画像としての静止画をそのフォルダ内に記録する。
また、磁気テープ１１には、テープＩＤと、メモリカード１６の固有番号（カードＩＤ）を記録する。マルチメディアカード等のメモリカードは製造番号を有しており、その製造番号は読み出し可能である。本実施例では、メモリカード１６のカードＩＤとして製造番号の少なくとも一部を用いる。本実施例では、好ましい実施形態として、製造番号の下４桁をそのまま用いる。下４桁程度を用いれば、ＩＤとして十分である。
【００５３】
電源投入時、中央処理マイコン５（静止画記録再生制御マイコン１４）は、メモリカード１６から使用済みの最大テープＩＤと使用済み最大テープ番号とカードＩＤを読み出す。テープカセットが装填されたら、中央処理マイコン５（デッキ制御マイコン８）は、磁気テープ１１を少し巻き戻し、磁気テープ１１に書き込まれているテープＩＤとカードＩＤを読み取る。
テープＩＤまたはカードＩＤが読み取れなかった場合には、新規のテープカセットであると判断して、最大テープＩＤ＋１をそのテープカセットのテープＩＤとして割り付ける。そして、中央処理マイコン５（静止画記録再生制御マイコン１４）は、メモリカード１６にそのテープＩＤのフォルダを作成する。
【００５４】
図３では、一例として、フォルダ１６Ｆ１，１６Ｆ２を作成した例を示している。
フォルダ１６Ｆ１はテープＩＤ０００１のフォルダであり、フォルダ１６Ｆ２はテープＩＤ０００２のフォルダである。
ここでは、それぞれのフォルダ１６Ｆ１，１６Ｆ２内に、サムネイル画像ＴＮを記録した状態を示している。これについては、後述する。なお、テープＩＤは、個々のメモリカード１６毎（カードＩＤ毎）に対し、個々のテープカセット毎に割り付けられたものである。よって、カードＡに対する１番，２番，３番…、カードＢに対する１番，２番，３番…の如くである。１つのテープカセットに対し、複数のメモリカード１６のカードＩＤとテープＩＤが記録されることがあり得る。
【００５５】
また、メモリカード１６には、テープＩＤとテープ番号とを対応させたテーブル１６Ｔが書き込まれている。磁気テープ１１より読み取ったカードＩＤとメモリカード１６から読み取ったカードＩＤとが一致したら、中央処理マイコン５は、磁気テープ１１より読み取ったテープＩＤに対応するテープ番号をテーブル１６Ｔより読み出す。新規のテープカセットであれば、最大テープ番号＋１をそのテープカセットのテープ番号として割り付け、テーブル１６Ｔに書き込む。図３の例では、テープＩＤ００１０のテープ番号が２であり、テープＩＤ０００２のテープ番号と同じとなっている。この理由については後述する。
【００５６】
上述のように、操作部６によって動画記録の指示がなされたら、撮影開始時の画像より、例えば水平１６０画素×垂直１２０画素程度のサムネイル画像ＴＮを生成する。
磁気テープ１１のテープＩＤが０００１であるとすると、静止画記録再生制御マイコン１４は、図３に示すように、そのテープＩＤ０００１のフォルダ１６Ｆ１内にサムネイル画像ＴＮを書き込む。
【００５７】
デッキ制御マイコン８が管理する磁気テープ１１の位置情報（タイムコード）は、中央処理マイコン５を介して静止画記録再生制御マイコン１４へと入力され、撮影開始時のタイムコードＴＣは、サムネイル画像ＴＮと対応付けて書き込まれる。
なお、磁気テープ１１のトラック１１ａにおけるサブコードエリア１１a1には、テープＩＤとカードＩＤが継続的に（例えば全トラックに）書き込まれる。
【００５８】
以上のタイムコードＴＣを付加したサムネイル画像ＴＮの記録は、録画を開始する毎に行われる。なお、録画の開始時とは、カメラ部ＣＭからの映像を入力した状態で、録画を一時的に停止させた録画待機の状態から録画を開始する場合であってもよく、カメラ部ＣＭからの映像を遮断し、録画を完全に停止させた録画停止の状態から録画を開始する場合であってもよい。なお、前者は、サムネイル画像ＴＮがかなり多く生成されることになるので、後者の方が好ましいと言える。メモリカード１６を８Ｍバイトとし、１枚のサムネイル画像ＴＮを２ｋバイトとすると、４０００シーン程度の管理が可能となる。１つのテープカセットで２０シーンを記録したとすると、２００本程度の管理が可能となる。
【００５９】
ここで、複数のテープＩＤに対して同一のテープ番号が付与されている理由について説明する。上記のように、テープＩＤまたはカードＩＤが読み取れなかった場合には、新規のテープカセットであると判断して、新たなテープＩＤが付与される。
例えば、使用済みのテープカセットでも、録画を終了させた直後から新たな録画を開始しない場合には、新規のテープカセットであると判断される可能性がある。この場合、そのテープカセットの磁気テープ１１には、新たにテープＩＤが割り付けられ、そのテープＩＤに対応して新たにテープ番号が割り付けられる。この状態では、１つのテープカセットに２つのテープＩＤとテープ番号が存在することとなる。
【００６０】
このように複数のテープＩＤが記録されたテープカセットを再生実行すると、テープ媒体における再生位置の進行に応じて、異なる複数のテープＩＤが再生出力されることとなる。
【００６１】
そのようにして、１つのテープカセットに複数のテープＩＤが存在することが判明した場合には、中央処理マイコン５（静止画記録再生制御マイコン１４）は、再生出力されたこれらの複数のテープＩＤにそれぞれ対応する各フォルダの名称を、１つのテープＩＤに対応するように、名称変更（リネーム）を実行する。
【００６２】
上記のリネーム動作を図４に従って具体的に説明する。
図４において、テープＩＤ０００２のフォルダ（フォルダ名「ＩＤ０００２」）１６Ｆ２と、テープＩＤ００１０のフォルダ（フォルダ名「ＩＤ００１０」）１６Ｆ１０とは、同一のテープカセットの磁気テープ１１に対して、それぞれが異なる時点で生成されたものとする。
【００６３】
すなわち磁気テープ１１には、異なる時点において、何らかの理由によって「ＩＤ０００２」と「ＩＤ００１０」という２つの異なるテープＩＤが記録されていており、この磁気テープ１１が再生のために装着されたビデオカメラの再生手段は、再生する過程でそれら２つの異なるテープＩＤを再生出力したものとする。
【００６４】
すると静止画記録再生制御マイコン１４は、例えば、テープＩＤ００１０のフォルダ１６Ｆ１０の名称を、「ＩＤ００１０」から「ＩＤ０００２−２」へと変更する。
【００６５】
変更後のフォルダ１６Ｆ１０の名称である「ＩＤ０００２−２」は、このフォルダが、テープＩＤ０００２に対応するフォルダであることがわかる名称としている。
【００６６】
名称変更の態様は上記以外も勿論可能であり、他方のフォルダ１６Ｆ２を名称変更したり、あるいは双方のフォルダ１６Ｆ２，１６Ｆ１０を名称変更しても良い。
【００６７】
さらに静止画記録再生制御マイコン１４は、メモリカード１６内のテーブル１６Ｔにおいて、テープＩＤ００１０が対応するテープ番号を、「２」に書き換えることにより、共通のテープ番号２に対して、テープＩＤ０００２とテープＩＤ００１０とをリンクさせるようにする（図３に記載されているテーブル１６Ｔの内容は、書き換え後の状態を示す）。
【００６８】
次に、上記の如くメモリカード１６内の記録保持内容が書き換えられた後に、テープカセットの頭出し再生を行なう動作を説明する。
＜テープ頭出し動作＞
（ひとつのテープＩＤのみが記録されたテープカセットの場合）
再生実行のためにテープカセットが装填されたら、中央処理マイコン５（またはデッキ制御マイコン８）は、磁気テープ１１を少し巻き戻し、磁気テープ１１に書き込まれているテープＩＤとカードＩＤを読み取る。これにより、装填されたテープカセットのテープＩＤが判明する。
メモリカード１６のカードＩＤと磁気テープ１１より読み取ったカードＩＤとが一致すれば、テープＩＤに対応したフォルダから検索用のサムネイル画像ＴＮを読み出すことができる。
【００６９】
操作部６における検索を指示するスイッチの操作に応じて、テープＩＤに対応したフォルダから検索用のサムネイル画像ＴＮを１または複数（例えば６つ程度）読み出す。例えば、テープＩＤが０００１であるとすると、ＡＶ出力部１８からは図５に示すようなサムネイル画像ＴＮが番号と共に出力される。なお、サムネイル画像ＴＮに付した番号はサムネイル画像ＴＮを選択するために便宜上設けたものである。初期状態のカーソル（番号に網掛けにて表示）は、１番目のサムネイル画像ＴＮに位置している。検索用のサムネイル画像ＴＮがさらに多く記憶されている場合には、ページ送りにより順次サムネイル画像ＴＮを表示させればよい。
【００７０】
頭出ししたいサムネイル画像ＴＮにカーソルを移動させ、スイッチを押す等して、頭出しするサムネイル画像ＴＮを決定する。静止画記録再生制御マイコン１４は、選択されたサムネイル画像ＴＮに付加されたタイムコードＴＣを読み出す。読み出されたタイムコードＴＣは、中央処理マイコン５に入力され、磁気テープ１１の現在位置と比較される。中央処理マイコン５は、頭出しするテープ位置が現在位置より前であれば巻き戻し、現在位置より後であれば早送りするよう、デッキ制御マイコン８に制御信号を供給する。これにより、選択されたサムネイル画像ＴＮに対応した動画が再生される。
【００７１】
（複数の異なるテープＩＤが記録されたテープカセットの場合）
一方、複数のテープＩＤが記録されたテープカセットを用いて頭出し再生を行なう場合でも、本実施例のビデオカメラによれば以下に説明する特徴的な構成、動作を行なうことによって、このテープカセットに記録された全てのシーンを選択可能である。
【００７２】
ひとつのテープＩＤのみが記録されたテープカセットの場合と同様に、テープカセットが装填されたら、中央処理マイコン５（デッキ制御マイコン８）は、磁気テープ１１を少し巻き戻し、磁気テープ１１に書き込まれているテープＩＤとカードＩＤを読み取る。これにより、装填されたテープカセットのテープＩＤが判明する。
ここでは、このテープカセットに記録された２つのテープＩＤ（ＩＤ０００２，ＩＤ００１０）の内、例えば「ＩＤ０００２」が読み取られたものとする。
【００７３】
ここでデッキ制御マイコン８は、メモリカード１６内のテーブル１６T内において、上記の「ＩＤ０００２」なるテープＩＤに対応するテープ番号を検索する。
すると、テーブル１６Ｔには、まずテープ「ＩＤ０００２」が記録されており、このテープＩＤに対応するテープ番号が「２」であることが判明する。
更に、上記の書き換えによって、このテープ番号「２」に対応するテープＩＤとして、もうひとつ「ＩＤ００１０」が存在することが、テーブル１６Ｔから判明する（図３のテーブル１６Ｔの内容を参照されたい）。
【００７４】
更に、メモリカード１６には、テープ番号２にテーブル１６Ｔによって対応付けられた「ＩＤ０００２」なる名称のフォルダ１６Ｆ２が存在すると共に、そのフォルダ名から、「ＩＤ０００２」と同一のテープＩＤに対応付けられていることが明確にわかるフォルダとして「ＩＤ０００２−２」なる名称のフォルダ１６Ｆ１０とが存在することが判明する。
すなわち、これら２つのフォルダの名称からこれらのフォルダが、再生出力したテープＩＤである「ＩＤ０００２」に対応付けられていることがわかる。
【００７５】
そこでデッキ制御マイコン８は、この磁気テープ１１に対応することが判明したこの２つのフォルダ１６Ｆ２，１６Ｆ１０内にある全てのサムネイル画像を読み出して、頭出し再生の選択に供することが出来る。
すなわちこれら２つのフォルダにある全てのサムネイル画像が選択可能なように表示され（図６（Ａ））、そのいずれもが頭出し再生のために選択可能である。
【００７６】
一方、本実施例によらない従来技術構成のビデオカメラでは、例えばテープＩＤ０００２が読み出されると、前述したようにフォルダ１６Ｆ２内にあるサムネイル画像のみが表示されて選択可能となるので、もうひとつのフォルダ１６Ｆ１０内のサムネイル画像は表示されず選択も出来ない（図６（Ｂ））。
同様にして、もう一方のテープＩＤ００１０が読み出された場合には、フォルダ１６Ｆ１０内のサムネイル画像のみが読み出されて選択可能となるので、フォルダ１６Ｆ２内のサムネイル画像は表示されず選択も出来なかったものである（図６（Ｃ））。
【００７７】
一方、このテープカセットからもう一方のテープＩＤである「ＩＤ００１０」が読み出された場合を説明する。
この場合には、デッキ制御マイコン８は、メモリカード１６内のテーブルデータ１６Ｔを参照すると、「ＩＤ００１０」なるテープＩＤはテープ番号「２」に対応し、またこのテープ番号「２」に対応するテープＩＤは、「ＩＤ００１０」の他にも「ＩＤ０００２」が存在することを知る。
【００７８】
そこでテープＩＤ「ＩＤ０００２」に対応付けられていることが名称からわかるフォルダである「ＩＤ０００２」及び「ＩＤ０００２−２」名称のフォルダ１６Ｆ２，１６Ｆ１０から全てのサムネイル画像を読み出して、頭出し再生の選択に供することが出来る。
【００７９】
すなわち本実施例のビデオカメラによれば、複数のテープＩＤが記録されたテープカセットを用いた場合でも、このテープカセットに記録されたシーンを洩れなく、頭出し再生の選択対象とすることが出来る、という従来に無い効果を発揮するものである。
【００８０】
なお、画像処理ＤＳＰ４，中央処理マイコン５，Ｄ／Ａ変換器１７，ＡＶ出力部１８は、サムネイル画像表示制御手段を構成している。操作部６は、１または複数のサムネイル画像ＴＮの１つを選択する選択手段を構成している。中央処理マイコン５，デッキ制御マイコン８は、磁気テープ１１を頭出しする頭出し制御手段を構成している。
【００８１】
本実施例では、サムネイル画像ＴＮを静止画としたが、動画であってもよい。静止画記録再生部ＳＣは、複数の静止画を順次切り換えることにより、動画を記録再生することができる。サムネイル画像ＴＮとしての動画は、撮影開始時の画像の一部でよい。
【００８２】
更に、本発明の実施に際して、上記に説明を行った本実施例のビデオカメラとは異なる構成を有する、以下のような態様とすることも可能である。
【００８３】
すなわち、メモリカード内に設けられて、各映像シーンの情報を収納するフォルダ名を、「ＡＡＡＡＢＢＢＢ」（ＡＡＡＡはテープ番号、ＢＢＢＢはテープＩＤ）として、フォルダ名からテープ番号とＩＤとが分かるようにしてもよい。
このように構成することによって、先に説明したＩＤ０００２のフォルダは「０００２０００２」、ＩＤ００１０のフォルダは「００１０００１０」という名称になる。そしてリネーム後は「０００２０００２」と「０００２００１０」の名称のフォルダができ、テープからＩＤ００１０のみが読み出された場合でもＩＤとフォルダ名からテープ番号が０００２であることが判断可能となる。
【００８４】
したがって、テープ番号が同じであるテープＩＤ０００２の画像ファイルも表示可能となる。このように構成することによってテーブルデータが必要無く、従って当然テーブルデータの書き換えも必要がなくなる。
【００８５】
或いは又、その他の態様として、磁気テープ上の記録位置を表す位置信号（位置情報）として、先に説明した如くのタイムコードではなく、絶対トラック番号を使用することも可能である。そのように構成する理由は、タイムコードも同一テープ上に複数の同一データが存在し得るため、タイムコードが同じでも選択した場面とは異なる位置が頭出しされる可能性があるからである。それに対し絶対トラック番号は絶対的な位置情報なのでそのような不具合は発生することが無い。
【００８６】
また上記の説明では、本発明をビデオカメラに対して適用した場合について集中して展開を行なったが、本発明の実施にあたって上記の構成に限定される必要は無く、例えばビデオ・テープ・レコーダ（ＶＴＲまたはＶＣＲ）に適用することも可能である。その場合上記に説明した各構成を従来技術構成に係るＶＴＲに適宜組み合わせることにより、サムネイル画像を用いて所望のシーンの頭出し再生実行が可能であり、かつひとつのビデオカセット内に記録されている全てのシーンのサムネイル画像が表示可能な構成を容易に実現することが出来、この構成もまた本発明が包含するものである。
更に、記録再生のための手段として、上記の各構成が有するようなテープ記録媒体及びその記録再生手段に限られること無く、ハードディスク記録再生手段、光（磁気）ディスク記録再生手段等のように信号をシリーズに記録し再生可能な手段を用いて、同様の作用を有する構成とすることもまた可能であり、これらもまた本発明に含まれる点は言うまでもない。
【００８７】
【発明の効果】
以上詳細に説明したように、本発明は、電源投入後、最初にテープ記録媒体に記録した画像情報のサムネイル画像と、画像情報を記録する度にテープ記録媒体に記録される当該テープ記録媒体の識別コードと、最初に記録した画像情報に係るテープ記録媒体上の記録位置情報とを相互に関連させて記憶するメモリー手段と、記録済みのテープ記録媒体が装着されると、このテープ記録媒体から読み出した識別コードに関連するサムネイル画像をメモリー手段から読み出して表示画面に表示し、表示したサムネイル画像の選択に応じて所望の最初に記録された画像情報の記録位置からの頭出し再生を行なう頭出し再生手段とを備えた記録再生装置において、頭出し再生手段は、複数の相異なる識別コードが記録されたテープ記録媒体が装着された場合に、この複数の相異なる識別コードに関連したサムネイル画像の全てを表示するよう構成されたことを特徴とする記録再生装置とすることにより、快適且つ確実な操作で所望のシーンの頭出し再生が実行可能な記録再生装置を提供することことができる。
【図面の簡単な説明】
【図１】  本発明の実施形態に係る一実施例であるビデオカメラを示すブロック図である。
【図２】  図１のビデオカメラの部分ブロック図である。
【図３】  図１のビデオカメラの動作を説明するための図である。
【図４】  図１のビデオカメラの動作を説明するための図である。
【図５】  図１のビデオカメラの動作を説明するための図である。
【図６】  図１のビデオカメラの動作を従来技術構成と対比させて説明するための図である。
【符号の説明】
５  中央処理マイコン（頭出し再生手段、識別コード記録手段）
８  デッキ制御マイコン（頭出し再生手段、識別コード記録手段）
１１  テープカセット（テープ記録媒体）
１４  静止画記録再生制御マイコン（頭出し再生手段、識別コード記録手段）
１６  メモリカード（メモリー手段）
ＴＮ  サムネイル画像
【図１】
0003865211.tif 000002
【図２】
0003865211.tif 000003
【図３】
0003865211.tif 000004
【図４】
0003865211.tif 000005
【図５】
0003865211.tif 000006
【図６】
0003865211.tif 000007